(57)【要約】ブルートゥースマイクロフォン（１０）は、デバイスとのブルートゥースの対を成す接続を達成し；対を成す前記デバイスとのアドバンスド・オーディオ・ディストリビューション・プロファイル（Ａ２ＤＰ）接続を達成して前記マイクロフォンによる復号化のために対を成す前記デバイスから一連のパケットを受信し；且つ受信した前記一連のパケットを一組のヘッドフォンに送信するために復号化している時と同時に、マイクロフォン変換器信号に基づく一連のパケットを、対を成す前記デバイスに送信するために対を成す前記デバイスとのシリアルポートプロファイル（ＳＰＰ）接続を達成するように構成配置したコントローラ（ＭＣＵ）及びブルートゥーストランシーバ（１２）を具える。
2019520725.tif 000002
【特許請求の範囲】
【請求項１】
音響信号の電子表示を生じるように構成配置した変換器（１）と、
前記電子表示をデジタル信号に変換するアナログ‐デジタルコンバータ（１６）と、
前記デジタル信号に基づく一連のパケットを生ぜしめるコーデック（１８）と、
受信した一連のパケットをデジタルステレオ信号に変換するデコーダ（２０）と、
前記デジタルステレオ信号を、一組のヘッドフォンに送信するのに適したステレオアナログ信号に変換するデジタル‐アナログコンバータ（２２）と、
デバイスとのブルートゥースの対を成す接続を達成し；対を成す前記デバイスとのアドバンスド・オーディオ・ディストリビューション・プロファイル（Ａ２ＤＰ）接続を達成して前記デバイスから前記デコーダ（２０）に対する前記一連のパケットを受信するようにし；且つ受信した前記一連のパケットを前記一組のヘッドフォンに送信するために復号化している時と同時に、前記デジタル信号に基づく前記一連のパケットを、対を成す前記デバイスに送信するために対を成す前記デバイスとのシリアルポートプロファイル（ＳＰＰ）接続を達成するように構成配置したコントローラ（ＭＣＵ）及びブルートゥーストランシーバ（１２）と
を具えるブルートゥースマイクロフォン（１０）。
【請求項２】
請求項１に記載のブルートゥースマイクロフォンが更に、前記マイクロフォンが前記Ａ２ＤＰ及びＳＰＰ接続の各々を確立する準備ができていることを、対を成す前記デバイスにシグナリングするアクチュエータを具えているブルートゥースマイクロフォン。
【請求項３】
請求項１に記載のブルートゥースマイクロフォンが更に、前記音響信号を録音するための所望の音量を指示する音量コントローラを具えているブルートゥースマイクロフォン。
【請求項４】
請求項１に記載のブルートゥースマイクロフォンが更に、ヘッドフォンジャックを収容するとともに前記ステレオアナログ信号を前記ヘッドフォンに送信するヘッドフォンソケットを具えているブルートゥースマイクロフォン。
【請求項５】
請求項１に記載のブルートゥースマイクロフォンが更に、ＵＳＢリード線を収容するＵＳＢソケットを具え、前記ＵＳＢソケットはＵＳＢリード間で前記ブルートゥースマイクロフォンを充電するための再充電可能バッテリに動作的に接続されるようになっているブルートゥースマイクロフォン。
【請求項６】
請求項１に記載のブルートゥースマイクロフォンにおいて、前記アナログ‐デジタルコンバータは、８kHz 〜１９２kHz の範囲内で前記音響信号をサンプリングするように構成配置されているブルートゥースマイクロフォン。
【請求項７】
請求項１に記載のブルートゥースマイクロフォンにおいて、前記アナログ‐デジタルコンバータは、８ビット〜３２ビット間の解像度のデジタル表示を生じるように構成配置されているブルートゥースマイクロフォン。
【請求項８】
請求項１に記載のブルートゥースマイクロフォンにおいて、前記コーデックは、前記デジタル信号をＡＡＣ、ＭＰ３、ＷＭＡ及びaptＸ フォーマットの内の１つのフォーマットで符号化するように構成配置されているブルートゥースマイクロフォン。
【請求項９】
請求項１に記載のブルートゥースマイクロフォンにおいて、前記コントローラはバッファを有し、前記デジタル信号に基づく前記一連のパケットは、対を成す前記デバイスとの通信を利用しうる際に前記バッファを介して前記対を成す前記デバイス送信されるようになっているブルートゥースマイクロフォン。
【請求項１０】
請求項１に記載のブルートゥースマイクロフォンと、コンピュータ実行可能コードとを有するシステムであって、コンピュータ実行可能コードは、ブルートゥースデバイスに対して実行された際に、
前記ブルートゥースマイクロフォンとの対を成す接続を達成し、
前記ブルートゥースマイクロフォンとのアドバンスド・オーディオ・ディストリビューション・プロファイル（Ａ２ＤＰ）接続を達成して、前記デコーダに対する前記一連のパケットを前記ブルートゥースマイクロフォンに送信するようにし、
前記ブルートゥースマイクロフォンとのシリアルポートプロファイル（ＳＰＰ）接続を達成し、前記一連のパケットを前記ブルートゥースマイクロフォンに送信しているのと同時に前記ブルートゥースマイクロフォンから前記一連のパケットを受信するようにした
システム。
【請求項１１】
請求項１０に記載のシステムにおいて、前記コンピュータプログラムコードは、前記Ａ２ＤＰ接続を介して前記ブルートゥースマイクロフォンにストリーミングすべきオーディオファイルをユーザが選択しうるようにするユーザインタフェースを提供するように構成配置されているシステム。
【請求項１２】
請求項１１に記載のシステムにおいて、前記コンピュータプログラムコードは、前記Ａ２ＤＰ接続及び前記ＳＰＰ接続の各々をユーザが開始して、選択した前記オーディオファイルのストリーミングを開始しうるようにするとともに、前記ブルートゥースマイクロフォンからの前記一連のパケットの受信を開始しうるようにするユーザインタフェースを提供するように構成配置されているシステム。
【請求項１３】
請求項１１に記載のシステムにおいて、前記コンピュータプログラムコードは、受信した前記一連のパケットをオーディオファイルとして記憶するように構成配置されているシステム。
【請求項１４】
請求項５に記載のブルートゥースマイクロフォンにおいて、前記ＵＳＢソケットのマイクロフォンピンが前記コントローラに接続されており、前記コントローラは、電力が前記ＵＳＢソケットを介して前記マイクロフォンに供給されていることを検出するのに応答して、前記音響信号の電子表示を前記ＵＳＢソケットのマイクロフォンピンに供給するようになっているブルートゥースマイクロフォン。
【発明の詳細な説明】
【技術分野】
【０００１】
本発明は、ブルートゥースマイクロフォンに関するものである。本発明は特に、マイクロフォンと、これと対を成すデバイスとの間で全二重通信を達成するこのマイクロフォンに関するものである。
【背景技術】
【０００２】
現在、対を成すブルートゥースデバイス、例えば汎用コンピュータ、タブレット、スマートフォンのようなホストコンピューティングデバイスの１つと、マイクロフォン又はヘッドフォン又はヘッドセットとの間でのオーディオ（音声）通信を容易にするマーケットにおいては多数のブルートゥースオーディオ製品が存在する。殆ど全てのデバイスは、オーディオ通信用の２種類のプロファイルを、すなわちＨＦＰ（ハンズフリープロファイル）及びＨＳＰ（ヘッドセットプロファイル）のうちの一方及び音楽再生用のアドバンスド・オーディオ・ディストリビューション・プロファイル（Advanced Audio Distribution Profile ；Ａ２ＤＰ）を採用している。
【０００３】
ＨＦＰは、ホストコンピューティングデバイスを、例えばモバイルフォンを如何に用いてハンズフリーデバイス、すなわちヘッドセットに対して電話をかけたり電話を受けたりするかを定義している。ＨＦＰはＨＳＰが対応している全ての機能に対応している。ＨＦＰとＨＳＰとの間の唯一の相違は、ＨＦＰが追加の機能、例えば、割込着信（ＣＷ）に対応していることである。ＨＦＰに対する代表的な環境設定はモバイルフォンをブルートゥースのホストとして用いている自動車である。この自動車では、モバイルフォンのオーディオに対しビークルのオーディオシステムを用いることができ、マイクロフォンはオーディオ出力を送信するために自動車内に設置されている。ＨＦＰは、パーソナルコンピュータを家庭又はオフィス環境におけるモバイルフォンに対するスピーカフォンとして作用させるのに用いることができる。ＨＦＰ及びＨＳＰの双方は、低品質のモノラルオーディオチャネルを送信するのに同期接続指向（ＳＣＯ）を用いている。すなわち、モノラルスピーカチャネルがモノラルオーディオ受信機に送信され、モノラルオーディオ受信機チャネルがモノラルスピーカに送信される。
【０００４】
双方のプロトコルに対応するデバイスにおいてＡ２ＤＰを介して動作させると、ＨＦＰ及びＨＳＰはＡ２ＤＰが有効化される前に自動的に分断される。多く存在する可能性のあるサービスのうちの各Ａ２ＤＰサービスは、２チャネルまでのステレオにおけるオーディオストリームを一方向でブルートゥースホストに又はブルートゥースホストから転送するように設計されている。
【０００５】
しかしながら、対を成すデバイスに対して高品質で双方向の全二重オーディオ通信を行うブルートゥースデバイスを提供するのが好ましい。
【０００６】
米国特許ＵＳ９１６７０８６には、ユーザにより発生された第１のオーディオ信号を受信するマイクロフォンと、無線オーディオ信号を送受信するブルートゥースモジュールとを有するオーディオ録音機能を具える無線ヘッドセットが開示され、ブルートゥースモジュールにより受信される無線オーディオ信号は第２のオーディオ信号を有するようにしている。このヘッドセットは、マイクロフォンにより受信された第１のオーディオ信号及びブルートゥースモジュールにより受信された第２のオーディオ信号を符号化してデータを発生させるオーディオエンコーダ／デコーダと、このオーディオエンコーダ／デコーダに接続されて第２のオーディオ信号をユーザに対し再生するための拡声器と、オーディオエンコーダにより発生されたデータを記憶するメモリユニットと、オーディオエンコーダ／デコーダに結合されてデータをメモリユニットに転送する制御ユニットと具えている。
【先行技術文献】
【特許文献】
【０００７】
【特許文献１】米国特許ＵＳ９１６７０８６
【発明の概要】
【０００８】
本発明の第１の態様によれば、請求項１に記載のブルートゥースマイクロフォンを提供する。
【０００９】
このマイクロフォンによれば、このマイクロフォンと、これと対を成すデバイスとの間で無線ブルートゥースを介してオーディオデータの双方向同時送信を可能にする。
【００１０】
本発明の具体例によれば、ブルートゥースのシリアルポートプロファイル（ＳＰＰ）を用いて、マイクロフォンからこれと対を成すデバイスへのオーディオ送信を行うようにする。
【００１１】
本発明のある具体例によれば、マイクロフォンとホストコンピューティングデバイスとの間でブルートゥースの対を成す接続又はＵＳＢ接続を達成しうるようにする。
【００１２】
以下に、添付図面を参照して本発明の実施例を説明する。
【図面の簡単な説明】
【００１３】
【図１】図１は、本発明の実施例によるブルートゥースマイクロフォンを示す線図である。
【図２】図２は、図１のマイクロフォンの処理用構成要素を示す線図である。
【図３】図３は、図１のマイクロフォンにより録音されたオーディオ信号を、ＳＰＰプロトコルを用いて復号化する方法を示すブロック線図である。
【図４】図４は、図１のマイクロフォンにより達成されるプロトコルスタックを示すブロック線図である。
【図５】図５は、本発明の他の実施例によるブルートゥースマイクロフォンの処理用構成要素の一部を示す線図である。
【発明を実施するための形態】
【００１４】
図１を参照するに、この図１には本発明の実施例によるブルートゥースマイクロフォン１０を示している。このマイクロフォン１０は、一般的に円筒状とした本体１２を具えその頂部にマイクロフォン変換器１を組込んでいる一般的に標準的なフォームファクタを有している。このマイクロフォン１０の底部には２つのコネクタが設けられている。第１のコネクタは３．５mmのステレオオーディオポート５を有し、このポート内には、ヘッドフォン（図示せず）のジャックを、対を成すために差し込むことができるようにする。（これとは別に、適切な如何なるヘッドフォンコネクタをも設けることができること明らかであろう。）第２のコネクタはマイクロＵＳＢポート８を有し、このポート内にはＵＳＢリード線を接続して、マイクロフォンの電子機器に電力を与えるか又は内蔵のマイクロフォンバッテリ（図示せず）を充電するか、或いはこれらの双方を達成するようにしうる。マイクロフォン本体の側面には音量調整ダイヤル４を装着し、これによりユーザが録音用の音量を調整することを可能にする。マイクロフォン１０の本体内にはブルートゥースアンテナ３が組込まれている。一体化したマイクロフォン変換器１、ブルートゥースアンテナ３、３．５mmのポート５、ＵＳＢポート８及び音量調整ダイヤル４の各々はＰＣＢ２に電気接続されている。
【００１５】
マイクロフォン１０に対して採用しうるフォームファクタは任意の数とすることができ、このマイクロフォン１０には、オンオフスイッチのような追加のスイッチ、ペアリングボタン、バッテリ又は音量レベルインジケータのようなインジケータ、等を任意の個数だけ設けることができること明らかであろう。
【００１６】
ここで図２を参照するに、ＰＣＢ２にはマイクロコントロールユニット（ＭＣＵ）とブルートゥーストランシーバ１２とが組込まれている。ＭＣＵはＡ２ＤＰプロファイル１５とＳＰＰプロファイル１７との双方に対応している。Ａ２ＤＰ及びＳＰＰに対する対応はソフトウェアかＭＣＵファームウェアの何れかで与えることができるが、何れの場合にもモジュール１５及び１７により、ＭＣＵがトランシーバ１２を介して、これらのプロファイルに応じて対を成すデバイスと通信しうるようにする。
【００１７】
Ａ２ＤＰ１５のモジュールは、対を成すデバイスに対し実行している専用の制御アプリケーション（図示せず）とのＡ２ＤＰ接続を達成し、このＡ２ＤＰ接続を用いて対を成すデバイスからブルートゥースアンテナ３を介してストリーム化したステレオ信号を受信し、このストリーム化したステレオ信号をデコーダ２０により復号化し、この復合化したデジタルデータをツインＤ／Ａコンバータ２２及びツイン増幅器２４を介して駆動し、このツイン増幅器２４においてステレオジャック５を介してアナログ信号を接続された何れかのヘッドフォンに別の通常の方法で供給する。
【００１８】
マイクロフォン変換器１は、そのモノラル信号をオーディオ増幅器１４及びＡ／Ｄコンバータ１６を介してＭＣＵに供給し、このＭＣＵにおいてデジタルデータをＭＣＵオーディオコーデック１８により適切なパケット化フォーマットに符号化する。（一実施例では、音量調整ボタンを、増幅器１４を制御するように直接接続することができ、一方他の実施例では、音量調整ボタンをＭＣＵのアナログポートに接続し、これによりＭＣＵが録音用の音量を適宜に調整可能にする。）この実施例では、Ａ／Ｄコンバータ１６が増幅されたマイクロフォン信号をＩ２Ｓ信号に変換する。（Inter-IC Sound（ＩＣ間サウンド）、Integrated Interchip Sound又はＩＩＳとしても知られているＩ２Ｓは、デジタルオーディオデバイスを一緒に接続するのに用いる電気的なシリアルバスインタフェース規格である。この信号は、ＰＣＭオーディオデータを電子デバイスにおける集積回路間で伝達するのに用いられる。Ｉ２Ｓバスはクロック信号とシリアルデータ信号とを分離させ、これにより、データストリームからクロック信号を再生させる通信システムに特有であるジッタよりも低いジッタが得られるようにする。）
【００１９】
代表的には、モジュール１７のようなＳＰＰモジュールがブルートゥースデバイスに組込まれている場合、このデバイスはこれと対を成すデバイスと個別のファイルを交換するようにしうる。このファイルの交換は、これらデバイスの一方が音楽を他方のデバイスにストリーミングしている際には生じないが、この交換が実際に行われた場合には、この交換は互いに対を成すデバイスに関する別個のアプリケーションにより、独立して処理される。
【００２０】
一方、本発明の実施例では、ホストコンピューティングデバイスとマイクロフォン１０との間の同時の双方向オーディオデータ送信が、上述したようにストリーミングしたオーディオ信号を、対を成すデバイスからＡ２ＤＰを介してマイクロフォン１０への一方向送信の実行を含むとともに、マイクロフォン１０からＳＰＰを介して対を成すデバイスへの逆方向送信の実行を含むようにする。
【００２１】
より詳細には、対を成すデバイスが主として、マイクロフォン１０と互換性のあるとともに高品質のオーディオ信号をマイクロフォン１０に供給すると同時にマイクロフォン１０から録音された信号を受信する制御アプリケーションを実行するようにする。従って、例えば、代表的な制御アプリケーションは、ミュージシャンがマイクロフォン１０内に差し込まれたヘッドフォンを介してバッキングトラックを聞きながらトラックに録音するようにしうる。
【００２２】
マイクロフォンは、ミュージシャンがオーバーイヤー型（耳当て型）ヘッドフォンか、イヤーバッドか、又は場合に応じ能動的又は受動的なノイズキャンセリングヘッドフォンの何れかの所望の如何なるヘッドフォンをも選択しうるようにするものである。
【００２３】
制御アプリケーション自体は、対を成すデバイスに関しユーザインタフェースを提供し、ユーザが、再生すべきトラックを選択するとともに録音を開始する必要があることを示しうるようにする。（或いはまた、マイクロフォンには、録音を開始する必要がある信号をホストに供給するためにユーザが押しうる録音ボタンを設けることもできる。）
【００２４】
如何なる場合にも、録音要求が制御アプリケーションに送信されると、この制御アプリケーション内から又はブルートゥースリンクを介してＳＰＰリンク要求がマイクロフォン１０に送信される。
【００２５】
制御アプリケーションは、ＳＰＰチャネルを開始するのと同時に、Ａ２ＤＰチャネルを用いてバックグラウンド音楽の送信を開始し、マイクロフォン１０が対を成すデバイスからＡ２ＤＰモジュール１５を介して音楽データを受信するようにする。
【００２６】
マイクロフォン１０がＳＰＰチャネルを開始させる要求を受信すると、対を成すデバイスとマイクロフォン１０との間にＳＰＰチャネルが設定される。このＳＰＰチャネルが成功裏に確立された後、Ａ／Ｄコンバータ１６及びコーデック１８が起動される。
【００２７】
Ａ／Ｄコンバータ１６は、例えば、８kHz 〜１９２kHz のサンプリング周波数の範囲内で、特に１２kHz 、１６kHz 、３２kHz 、４４．１kHz 、４８kHz 及び９６kHz のような標準の周波数で且つ８、１２、１６、２４又は３２ビットのビットレートで動作しうる。通常、コーデック１８は、ＡＡＣ、ＭＰ３、ＷＭＡ、aptＸ 等のような標準の符号化フォーマットで一定数の取得ポイントを符号化する。例えば、４４．１kHz の取得レート及び１６ビットの精度の場合、代表的に１１５２個の取得ポイントがグループとして符号化される。ＭＰ３フォーマットを用いる場合、これらの取得ポイントが符号化データの１フレーム分となる。
【００２８】
図３は、例えばｍ＝８又は１６としたｍビットの組をＡ／Ｄコンバータ１６によりコーデック１８に供給することを示している。このＡ／Ｄコンバータは、所要のサンプリング周波数及びビットレートでデータのｎ個のサンプリングポイントを取得し、これらのサンプリングポイントがコーデック１８によりＡＡＣ、ＭＰ３、ＷＭＡ、aptＸ 又はその他の何らかの符号化フォーマットで符号化されてデータのフレームを発生するデータのグループを形成する。次いでデータの各フレームがＳＰＰモジュール１７を介して送信される。この処理は、録音が終了されるまで連続的に実行され、連続的な即時のデータ送信が対を成すデバイスに対しマイクロフォン１０により達成しうるようになる。
【００２９】
フレームに対する符号化処理がマイクロフォン１０内で完了された後、マイクロフォン１０はデータのこのフレームをモジュール１７により与えられたＳＰＰチャネルを介して制御アプリケーションに送信する。従って、この制御アプリケーションは、オーディオファイルとして時間順序で記録しうるデータフレームを受信する。
【００３０】
録音されたデータの連続性及び精度を確保するために、オーディオデータの符号化されたフレームを、ＭＣＵ内の送信バッファ（図示せず）を介して送信するようにすることができる。従って、ある量の録音されたオーディオデータをＭＣＵ内にキャッシュし、マイクロフォン１０と制御アプリケーションをホスティングする対を成すデバイスとの間の通信を瞬間的な損失から回復させるようにすることができる。
【００３１】
ＳＰＰ通信が回復されると、マイクロフォン１０は、キャッシュが再び空となるまでバッファからのデータ送信を再開することができる。
【００３２】
同様に、ＭＣＵには、対を成すデバイスから受信したパケットに対する受信バッファ（図示せず）を含め、これらパケットを再生するよりも速く受信しうるようにする。このことにより、通信遮断（blockage）が存在する場合でもマイクロフォン１０が受信したオーディオをヘッドフォンに円滑に中継するようにしうる。
【００３３】
符号化したオーディオパケットをマイクロフォン１０からＳＰＰチャネルを介して受信する制御アプリケーションは一般的に、オーディオデータを簡単に記憶しうる。その後、記憶したマイクロフォンオーディオデータはこの制御アプリケーションにより再生させるか、又は必要に応じこの制御アプリケーションにより最初に生ぜしめたオーディオデータと同期させた他の任意のデバイスにおける任意の他のアプリケーションにより再生させて、最初のオーディオデータに対するオーバーレイトラックを生ぜしめるようにすることができる。
【００３４】
或いはまた、制御アプリケーションは、対を成すデバイスの独自のスピーカで又は対を成すデバイスに接続されたスピーカ（場合によってはワイヤレススピーカ）を介してマイクロフォンオーディオデータを受信した際に、このマイクロフォンオーディオデータを実際に再生させるようにすることができる。
【００３５】
図４は、完全性のために、マイクロフォン１０が、対を成すデバイスにオーディオをストリーミングしている際と、ストリーミングしたオーディオをこの対を成すデバイスから受信している際との双方にあるセッション中に動作する完全なプロトコルスタックを示している。この図から明らかなように、Ａ２ＤＰ及びＳＰＰセッションデータの各々はＬ２ＣＡＰプロトコルを用いてＡＣＬリンクマネージャに又はＡＣＬリンクマネージャから供給するようにしうる。上述した実施例に代わる実施例では、ホストコントローラインタフェース（ＨＣＩ）を介してパケットを供給するようにしうる。
【００３６】
ここで図５を参照するに、本発明の他の（第２の）実施例では、ブルートゥースマイクロフォンを、ブルートゥースの対を成す接続を用いる場合のみならず、適合したＵＳＢコネクタ８′を介してもホストデバイスに選択的に接続するように構成配置することができる。ホストデバイスに対し有線又は無線接続するブルートゥースマイクロフォンの場合、代表的には、マイクロフォンにおける３．５mmポートをホストデバイスにおける３．５mmポートに接続する取外し自在のアナログオーディオケーブルを介して有線接続を行う。
【００３７】
図５の実施例では、内臓のマイクロフォンバッテリをトリクル充電するために、ＵＳＢコネクタ８′のＶccピンを、電源管理回路５０を介して接続するだけでなく、ＵＳＢマイクロフォンピンＤ−及びＤ＋をＭＣＵ上の対応するポートに接続する。（マイクロフォンラインＤ−及びＤ＋の一方は、図示するように差動信号とするのではなく、接地と対応するようにしうる。）
【００３８】
この実施例では、処理ブロックの全てを図２で説明したようにマイクロフォン内に設けることもできるが、関連性がない場合にはこれらの処理ブロックを図５に関して更に説明していない。
【００３９】
図５では、マイクロフォンがオン／オフボタンＳ１を有している。ＭＣＵはスタンバイモードで始動し、オン／オフボタンＳ１が押されたことをポートＩ／Ｏ１を介して検出するのに応答してＭＣＵがブルートゥースのペアリングモードに入るとともに、通常のようにホストコンピューティングデバイスとのブルートゥースの対を成す接続を確立する。その後、マイクロフォンは図２のマイクロフォン１０と同様に動作して、マイクロフォン録音とヘッドフォンへのストリーミングとを同時に行うことができるか、又はマイクロフォンは専用のブルートゥースマイクロフォンとして作用しうるようになる。
【００４０】
図５のマイクロフォンを専用マイクロフォンとして作用させる必要がある場合には、図２のマイクロフォン１０の特別なＳＰＰプロファイルを用いる必要はなく、その代りマイクロフォン信号をホストデバイスにストリーミングするための何らかの通常のプロファイルを用いることができること明らかであろう。このような場合、このモードでは、マイクロフォンをホストデバイスに関して実行している何らかのアプリケーションと互換性があるようにしうる。
【００４１】
一方、マイクロフォンがＵＳＢケーブルを介してホストコンピューティングデバイスに接続されている場合には、ＭＣＵはポートＩ／Ｏ２を介してこの接続を検出する。この場合、マイクロフォンは、電源管理回路５０を介して動力が供給されるとともに、マイクロフォン信号をＡ／Ｄコンバータ１６からＵＳＢマイクロフォンラインＤ−及びＤ＋に供給するＵＳＢマイクロフォンとして作用するように切換る。（図５では、この接続を、Ａ／Ｄコンバータ１６及びＭＣＵを介して与えられるものとして示しているが、ＵＳＢソケット８′への接続を、ＭＣＵと関連する増幅器１４からの個別の回路を用いて実行することもできる。）何れの場合にも、ブルートゥース通信に対して採用されるコーデック１８を（場合によりＡ／Ｄコンバータ１６も）用いる必要がなく、符号化されていないアナログ信号を直接ホストコンピューティングデバイスに供給することができることが理解されるであろう。
【００４２】
このモードにおいてＵＳＢケーブルが抜かれると、マイクロフォンは自動的にスタンバイモードに戻るように切換る。
【００４３】
ユーザが、図５のマイクロフォンを、ＵＳＢケーブルを介して電源アダプタに接続する場合、マイクロフォンバッテリ５２は通常のように電源管理回路５０を介して簡単に充電しうる。図５の回路を用いると、ＭＣＵは電源アダプタに接続されているかとホストコンピューティングデバイスに接続されているかとの違いを検出できない可能性があるが、この場合、ＭＣＵがマイクロフォン信号をＵＳＢマイクロフォンラインＤ−及びＤ＋に供給することは欠点とならないことが分かる。その理由は、マイクロフォンはＵＳＢケーブルを介して動力が供給されており、バッテリ５２は放電されていない為である。それにもかかわらず、ＭＣＵがホストコンピューティングデバイスにより供給されるＶccと電源アダプタにより供給されるＶccとの相違を検出できる場合には、マイクロフォンのＭＣＵは、バッテリが充電されている間スタンバイモードのままにすることができる。
【００４４】
図５のマイクロフォンの機能は、ＵＳＢの左右のオーディオ信号ピン（図示せず）をＭＣＵのそれぞれのピン（図示せず）に接続し、その共通ラインはマイクロフォンと共用することにより更に拡張させることができること明らかであろう。この場合、ＭＣＵが上述したようにＵＳＢマイクロフォンモードに切換ると、左右のオーディオ信号は、ＭＣＵにより、ブルートゥース通信に対して用いられたデコーダ２０及びＤ／Ａコンバータ２２を側路して直接又は個別の回路を経てツイン増幅器２４に供給しうる。
【００４５】
何れの場合にも、ＵＳＢマイクロフォンモードはブルートゥース動作よりも優先される為、ＶccがＭＣＵにより検出されると、如何なるブルートゥースの対を成す接続も切断される。
【図１】
2019520725.tif 000003
【図２】
2019520725.tif 000004
【図３】
2019520725.tif 000005
【図４】
2019520725.tif 000006
【図５】
2019520725.tif 000007
【国際調査報告】
2019520725.tif 000008
2019520725.tif 000009
2019520725.tif 000010